(57)【要約】      （修正有）【課題】表示された複数の画像に対して、つまみ抜き取る様な直観的な操作を検出することができる操作受付装置を提供する。【解決手段】操作受付装置１０１では、第一タッチパネル１３０７のタッチセンサにより検出された座標位置と第二タッチパネル１３０８のタッチセンサにより検出された座標位置とが同一か否かを判定する。そして、同一であると判定された場合は、第一タッチパネル１３０７で複数ページにおける開始ページと終了ページの指定を受け付け、指定されたページに対する操作を受け付ける。そして、受け付けた操作に応じて、指定されたページに削除、抜き取り等の所定の編集を行う。【選択図】図８
2014071827.tif 000002
【特許請求の範囲】
【請求項１】
筐体の一方の面に表示面を有する表示パネルと、前記表示面への操作を検出する第一タッチセンサと、前記筐体の他方の面への操作を検出する第二タッチセンサと、前記表示パネルの表示面に複数ページの画像を表示する表示制御手段とを備え、前記第一タッチセンサと前記第二タッチセンサの検出結果に応じて前記表示面に表示された少なくとも１つのページ画像に対して所定の編集を行う操作受付装置において、
前記第一タッチセンサにより検出された座標位置と前記第二タッチセンサにより検出された座標位置とが同一か否かを判定する判定手段と、
前記判定手段により同一であると判定された場合は、前記複数ページにおける開始ページと終了ページの指定を受け付ける指定手段と、
前記指定手段により指定されたページに対する操作を受け付ける操作受付手段と、
前記操作受付手段により受け付けた操作に応じて、前記指定されたページに前記所定の編集を行う編集手段とを備えることを特徴とする操作受付装置。
【請求項２】
前記ページに対する操作には、削除、抜き取り、挿入、コピー、プリントが含まれ、前記所定の編集には、前記指定されたページに対する削除、抜き取り、挿入、コピー、プリントが含まれることを特徴とする請求項１記載の操作受付装置。
【請求項３】
請求項１または２に記載の操作受付装置に接続され、前記操作受付装置にて受け付けた操作に応じて前記指定されたページに対する所定の編集を行う画像形成装置。
【請求項４】
筐体の一方の面に表示面を有する表示パネルと、前記表示面への操作を検出する第一タッチセンサと、前記筐体の他方の面への操作を検出する第二タッチセンサと、前記表示パネルの表示面に複数ページの画像を表示する表示制御手段とを備え、前記第一タッチセンサと前記第二タッチセンサの検出結果に応じて前記表示面に表示された少なくとも１つのページ画像に対して所定の編集を行う操作受付装置の操作受付方法において、
前記第一タッチセンサにより検出された座標位置と前記第二タッチセンサにより検出された座標位置とが同一か否かを判定する判定工程と、
前記判定工程にて同一であると判定された場合は、前記複数ページにおける開始ページと終了ページの指定を受け付ける指定工程と、
前記指定工程にて指定されたページに対する操作を受け付ける操作受付工程と、
前記操作受付工程にて受け付けた操作に応じて、前記指定されたページに前記所定の編集を行う編集工程とを備えることを特徴とする操作受付方法。
【請求項５】
請求項４に記載の操作受付方法を操作受付装置に実行させるためのコンピュータに読み取り可能なプログラム。
【発明の詳細な説明】
【技術分野】
【０００１】
本発明は、操作受付装置及び方法、並びにプログラムに関し、特に、プレビュー表示された複数ページからなる文書画像に対するページ操作の制御技術に関する。
【背景技術】
【０００２】
近年、画像形成装置の操作設定は、本体に備え付けの操作部だけでなく、外部の操作受付装置や携帯端末等を介して受け付けることができる。例えば、タッチパネルを備える操作受付装置では、タッチパネル上でのフリック操作を検出することが可能なタッチセンサや、同時に複数の指によるタッチ座標と軌跡を検出可能なマルチタッチセンサを備えるものがある。このように、タッチパネル上で軽く払う様に指を動かすフリック操作やタッチのポイント数とフリック操作の軌跡のバリエーションにより予め割り当てられた操作が実行可能になり、操作性の幅が広がっている。
【０００３】
ユーザは、タッチやフリック操作に関連づけられた画像の選択や画像のめくり動作等が実行可能となっている。そして、タッチのフィーリングと操作を関連づけて、画面に表示された文書画像等を、物理的な媒体に対する動作と同じように、直観的な操作することができる（例えば、特許文献１参照）。
【先行技術文献】
【特許文献】
【０００４】
【特許文献１】特開２００１−２６５４８１号公報
【発明の概要】
【発明が解決しようとする課題】
【０００５】
しかしながら、外部の操作受付装置や携帯端末等のタッチパネルでは、通常、本体の一方の平面部に配置されていることから、物理的に媒体をつまむ操作を検出することができない。そのため、タッチパネルにプレビュー表示された複数の文書画像に対して、用紙をつまみ抜き取る様な直観的な操作を検出することは困難である。
【０００６】
本発明は、上記問題に鑑みて成されたものであり、表示された複数の画像に対して、つまみ抜き取る様な直観的な操作を検出することができる操作受付装置及び方法、並びにプログラムを提供することを目的とする。
【課題を解決するための手段】
【０００７】
上記目的を達成するために、本発明の操作受付装置は、筐体の一方の面に表示面を有する表示パネルと、前記表示面への操作を検出する第一タッチセンサと、前記筐体の他方の面への操作を検出する第二タッチセンサと、前記表示パネルの表示面に複数ページの画像を表示する表示制御手段とを備え、前記第一タッチセンサと前記第二タッチセンサの検出結果に応じて前記表示面に表示された少なくとも１つのページ画像に対して所定の編集を行う操作受付装置において、前記第一タッチセンサにより検出された座標位置と前記第二タッチセンサにより検出された座標位置とが同一か否かを判定する判定手段と、前記判定手段により同一であると判定された場合は、前記複数ページにおける開始ページと終了ページの指定を受け付ける指定手段と、前記指定手段により指定されたページに対する操作を受け付ける操作受付手段と、前記操作受付手段により受け付けた操作に応じて、前記指定されたページに前記所定の編集を行う編集手段とを備えることを特徴とする。
【発明の効果】
【０００８】
本発明によれば、筐体の表裏のタッチセンサが検出した座標位置が同一である場合は、複数ページにおける開始ページと終了ページの指定を受け付け、指定されたページに対する操作を受け付ける。これにより、プレビュー表示された複数のページ画像に対して、つまみ抜き取る様な直観的な操作を検出することができる。
【図面の簡単な説明】
【０００９】
【図１】本発明の実施形態に係る操作受付装置と画像形成装置の一例を示す図である。
【図２】図１における操作受付装置１０１の内部構成を示すブロック図である。
【図３】画像形成装置１０２の内部構成を示すブロック図である。
【図４】操作受付装置１０１にて実行される操作受付処理を実現するための操作受付プログラム４００の機能的構成の一例を示す図である。
【図５】操作受付装置１０１にて実行される操作受付処理の流れを示すフローチャートである。
【図６】図５のステップＳ５０６における選択ページ群特定処理の詳細を示すフローチャートである。
【図７】図５のステップＳ５０７における操作実行受付処理の詳細を示すフローチャートである。本発明の操作受付装置の操作受付動作フローにおける操作実行内容受付フローの一例を示す図である。
【図８】（ａ）（ｂ）操作受付装置１０１における操作受付方法を説明するための図、（ｃ）操作受付装置１０１における操作実行受付方法を説明するための図である。
【図９】図５のステップＳ５０６で選択ページ群を特定するための特定方法の概略を示す図である。
【発明を実施するための形態】
【００１０】
以下、本発明の実施の形態を図面を参照して詳細に説明する。
【００１１】
図１は、本発明の実施形態に係る操作受付装置と画像形成装置の一例を示す図である。
【００１２】
図１において、画像形成装置１０２は、プリンタ、ファクシミリ装置、複合機などから成り、無線ＬＡＮ１０３を介して操作受付装置１０１に接続されている。操作受付装置１０１は、画像形成装置１０２に着脱可能に構成され、外部の操作部として利用される。なお、画像形成装置１０２を操作可能な機能構成を有していれば、スマートフォン等の携帯端末であってもよい。また、操作受付装置１０１と画像形成装置１０２とは、無線ＬＡＮ１０３によって接続されているが、有線接続されていてもよい。
【００１３】
操作受付装置１０１は、画像形成装置１０２が有する各種機能に対する設定操作や実行指示を行う機能と、画像形成装置１０２で取り扱う画像データ等のプレビュー表示や各種編集操作を受け付ける機能を有する。例えば、操作受付装置１０１は、画像形成装置１０２から無線ＬＡＮ１０３を介して画像データを受信してプレビュー表示し、表示された画像に対する所定の操作を受け付けることができる。なお、本実施形態では、操作を受け付ける対象を画面表示された画像としているが、これに限定されるものではない。
【００１４】
図２は、図１における操作受付装置１０１の内部構成を示すブロック図である。
【００１５】
操作受付装置１０１は、ＣＰＵ１３０１、ＲＡＭ１３０２、ＲＯＭ１３０３、ＨＤＤ１３０４、Ｉ／Ｏ１３０５、ＮｅｔｗｏｒｋＩ／Ｆ１３１０、及びタッチパネル制御部１３０６を備え、これらがシステムバス１２０７を介して相互に接続されている。さらに、操作受付装置１０１は、タッチパネル制御部１３０６に接続された第一タッチパネル１３０７と第二タッチパネル１３０８を有する。第一タッチパネル１３０７は、タッチセンサと表示面を有する表示パネルであるが、第二タッチパネル１３０８は表示面を有しておらず、タッチセンサのみで構成される。なお、ＨＤＤ１３０４は、データの読み書きが可能なメモリであれば、ハードディスクに限定されるものではなく、他の形態のメモリでもよい。
【００１６】
ＣＰＵ１３０１は、ＯＳ（Ｏｐｅｒａｔｉｎｇ  Ｓｙｓｔｅｍ）やアプリケーションソフトなどのプログラムをＨＤＤ１３０４から読み出して実行することで各種制御を行う。ＲＡＭ１３０２は、ＣＰＵ１３０１がプログラムを実行する際のシステムワークメモリである。ＲＯＭ１３０３は、ＢＩＯＳ（Ｂａｓｉｃ  Ｉｎｐｕｔ  Ｏｕｔｐｕｔ  Ｓｙｓｔｅｍ）やＯＳを起動するためのプログラム、設定ファイルが記憶されている。ＨＤＤ１３０４はハードディスクドライブであって、システムソフトウェアなどが記憶されている。
【００１７】
ネットワークＩ／Ｆ１３１０は、無線ＬＡＮ１０３に接続して、画像形成装置１０２などの外部機器との間で所定の通信方式によりデータ通信を行う。なお、この通信方式はどのような方式であってもよい。
【００１８】
Ｉ／Ｏ１３０５は入出力インタフェースであり、タッチパネル制御部１３０６を介して第一タッチパネル１３０７に画像データや各種情報を出力する。また、Ｉ／Ｏ１３０５は、タッチパネル制御部１３０６を介して第一タッチパネル１３０７及び第二タッチパネル１３０８から入力された操作設定情報や指示情報をＣＰＵ１３０１等に出力する。
【００１９】
第一タッチパネル１３０７は、筐体の一方の平面部（以下、「主たる操作部」または「表面」と呼ぶ）に配置され、マルチタッチ検出可能な静電容量式のタッチセンサ（第一タッチセンサ）と、液晶ディスプレイ１３０９とを備える。液晶ディスプレイ１３０９は、所定の解像度や色数等で画像データ等を表示することが可能な表示装置である。液晶ディスプレイ１３０９には、例えば、ＧＵＩ（Ｇｒａｐｈｉｃａｌ  Ｕｓｅｒ  Ｉｎｔｅｒｆａｃｅ）画面が表示され、操作に必要な各種ウィンドウやデータ等が表示される。
【００２０】
第二タッチパネル１３０８は、筐体の他方の平面部（以下、「従たる操作部」または「裏面」と呼ぶ）に配置され、マルチタッチ検出可能なタッチセンサ（第二タッチセンサ）のみを備える。
【００２１】
操作受付装置１０１は、装置本体の表面と裏面のタッチセンサによりタッチ操作を検出して、操作を受け付けるように構成されている。例えば、複数ページからなる文書の画像データに対して、全部または一部のページを削除したり、ページ移動やコピー、または挿入などの操作の受け付けが可能となっている。
【００２２】
次に、操作受付装置１０１における操作受付方法について図８（ａ）、図８（ｂ）を参照して説明する。
【００２３】
操作受付装置１０１では、表面の第一タッチパネル１３０７と裏面の第二タッチパネル１３０８を、図８（ａ）に示すように、同時に手で挟むことで操作を受け付ける。例えば、図８（ｂ）に示すように親指で表面をタッチし、人差し指で裏面をタッチすることで操作を行い、装置本体をつまむような感覚での操作を受け付ける。
【００２４】
第一タッチパネル１３０７のタッチセンサが表面のタッチポイント８０１を検出し、第二タッチパネル１３０８のタッチセンサが裏面のタッチポイント８０２を検出する。そして、表面上のタッチポイント８０１の座標位置と裏面上のタッチポイント８０２の座標位置が同一である場合には両面タッチが行われたと判断される。
【００２５】
図３は、画像形成装置１０２の内部構成を示すブロック図である。
【００２６】
画像形成装置１０２は、画像形成装置１０２を使用するユーザが各種の操作を行うための操作部１４０と、操作部１４０からの指示に従って画像情報を読み取るスキャナ部１０と、画像データを用紙に印刷するプリンタ部２０とを有する。
【００２７】
スキャナ部１０は、スキャナ部１０を制御するＣＰＵや原稿読取を行うための図示しない照明ランプや走査ミラーなどを有する。プリンタ部２０は、プリンタ部の制御を行うＣＰＵや画像形成や定着を行うための図示しない感光体ドラムや定着器を有する。
【００２８】
また、画像形成装置１０２は、スキャナ部１０やプリンタ部２０、有線ＬＡＮ１０４、公衆回線（ＷＡＮ）３００１、無線ＬＡＮ１０３と接続されている画像形成装置１０２の動作を統括的に制御するコントローラ１２００とを備える。有線ＬＡＮ１０４には汎用コンピュータ１０５が接続されている。
【００２９】
次に、図３を用いてコントローラ１２００の内部構成について説明する。
【００３０】
コントローラ１２００は、図示の各部を備える。ラスタイメージプロセッサ（ＲＩＰ）１２５０は、有線ＬＡＮ１０４を介して汎用コンピュータ１０５から受信した印刷ジョブに含まれるＰＤＬコードをビットマップイメージに展開する。スキャナ画像処理部１２８０は、スキャナ部１０から入力された画像データに対し補正、加工、編集を行う。プリンタ画像処理部１２９０は、プリンタ部２０で出力（印刷）される画像データに対して補正、解像度変換等を行う。画像回転部１２３０は、画像データの回転を行う。画像圧縮部１２４０は、ＪＰＥＧ等の多値画像データ、ＪＢＩＧ、ＭＭＲ、又はＭＨ等の２値画像データの圧縮伸張処理を行う。デバイスＩ／Ｆ１２２０は、スキャナ部１０及びプリンタ部２０とコントローラ１２００を接続して画像データの同期系／非同期系の変換を行う。画像バス２００８は、上記各部を互いに接続して画像データを高速で転送する。
【００３１】
ＣＰＵ１２０１は、画像形成装置１０２を統括的に制御する。ＲＡＭ１２０２は、ＣＰＵ１２０１が動作するためのシステムワークメモリであり、画像データを一時記憶するための画像メモリでもある。操作部Ｉ／Ｆ１２０６は、操作部１４０とのインタフェース（Ｉ／Ｆ）で、操作部１４０に表示する画像データを操作部１４０に対して出力する。また、操作部Ｉ／Ｆ１２０６は、操作部１４０から画像形成装置１０２を使用するユーザが入力した情報をＣＰＵ１２０１に伝える役割をする。
【００３２】
ＮｅｔｗｏｒｋＩ／Ｆ１２１０は、有線ＬＡＮ１０４に接続され、汎用コンピュータ１０５や有線ＬＡＮ１０４上の装置との間でデータ通信を行う。モデム部１２１１は、公衆回線３００１に接続され、図示しない外部のファクシミリ装置とのデータの通信（送受信）を行う。無線通信Ｉ／Ｆ１２７０は、無線ＬＡＮ１０３を介して外部の操作受付装置１０１と接続する。
【００３３】
ＲＯＭ１２０３は、ＣＰＵ１２０１が実行するブートプログラムが格納されている。ハードディスクドライブ（ＨＤＤ）１２０４は、システムソフトウェア、画像データ、ソフトウェアカウンタ値などを格納する。内部通信Ｉ／Ｆ１２０８は、スキャナ部１０及びプリンタ部２０と夫々通信を行う。システムバス１２０７は、上記各部を互いに接続する。ＩｍａｇｅＢｕｓＩ／Ｆ１２０５とは、システムバス１２０７及び画像バス１２１２を接続してデータ構造を変換するバスブリッジである。
【００３４】
コントローラ１２００は、印刷やコピージョブ実行時のユーザ名や印刷部数、カラー印刷等、出力属性情報等をジョブ実行時のジョブログ情報としてＨＤＤ１２０４またはＲＡＭ１２０２に記録して管理している。
【００３５】
なお、画像形成装置１０２の操作部１４０がコントローラ１２００のハードウェア資源を利用して操作受付装置１０１と同様な役割を担ってもよいものとする。
【００３６】
図４は、操作受付装置１０１にて実行される操作受付処理を実現するための操作受付プログラム４００の機能的構成の一例を示す図である。
【００３７】
操作受付プログラム４００は、ＨＤＤ１３０４に格納されており、ＲＡＭ１３０２に読み出されてＣＰＵ１３０１にて実行されるものである。
【００３８】
操作受付プログラム４００は、表示制御部４０１、タッチセンサ制御部４０２、操作受付制御部４０３、タッチ状態判断部４０４、選択ページ群特定部４０５、ページ操作実行部４０６、画像情報記録部４０７、及び通信制御部４０８から構成されている。
【００３９】
表示制御部４０１は、第一タッチパネル１３０７内の液晶ディスプレイ１３０９への表示制御を行う機能的役割を有する。表示制御部４０１は、タッチセンサ制御部４０２からのマルチタッチセンサの検知結果と、選択ページ群特定部４０５からの選択ページ特定欄の表示指示と、画像情報記録部４０７からの画像情報とに基づき、液晶ディスプレイ１３０９の表示画面の制御を行う。
【００４０】
タッチセンサ制御部４０２は、図２に示すタッチパネル制御部１３０６により第一タッチパネル１３０７と第二タッチパネル１３０８を制御する機能的役割を有する。また、タッチセンサ制御部４０２は、タッチポイントの座標位置とその軌跡の検知を担っており、マルチタッチセンサの検知結果を、表示制御部４０１、操作受付制御部４０３、タッチ状態判断部４０４、及び選択ページ群特定部４０５に伝達する。
【００４１】
タッチ状態判断部４０４は、タッチセンサ制御部４０２から伝達されるマルチタッチセンサの検知結果に基づいて、片面タッチであるか両面タッチであるかを判断する機能的役割を有する。片面タッチは、表面の第一タッチパネル１３０７へのタッチを意味し、両面タッチは、表面の第一タッチパネル１３０７と裏面の第二タッチパネル１３０８の両方へのタッチを意味する。両面タッチかを判断するには、上述したように、タッチポイント８０１の表面上の座標位置とタッチポイント８０２の裏面上の座標位置が同一か否かで判断される。片面タッチであると判断した場合、タッチ状態判断部４０４は、その判断結果を操作受付制御部４０３に伝達する。一方、両面タッチであると判断した場合、タッチ状態判断部４０４は、その判断結果を選択ページ群特定部４０５に伝達する。
【００４２】
操作受付制御部４０３は、タッチ状態判断部４０４から受信した判断結果と、タッチセンサ制御部４０２からのマルチタッチセンサの検出結果とに基づき、操作内容を特定するための操作受付制御を行う機能的役割を有する。特定された操作受付情報は、ページ操作実行部４０６に伝達される。操作受付情報とは、タッチポイントの座標位置とその軌跡からなる。具体的には、タッチポイントの座標位置が上下左右どちらの方向に移動したかどうかといった情報であって、スライド操作に対する操作内容が対応づけられている。操作内容とは、液晶ディスプレイ１３０９の表示画像に対する削除、コピー、抜き取り、挿入等が対応づけられている。
【００４３】
選択ページ群特定部４０５は、タッチ状態判断部４０４から受信した判断結果と、タッチセンサ制御部４０２からのマルチタッチセンサの検知結果とに基づいて、選択ページ群を特定するための表示と選択ページ群情報を生成する機能的役割を有する。例えば、選択ページ群特定部４０５は、タッチ状態判断部４０４からの判断結果に基づき、図９に示す選択ページ群を特定するための選択ページ特定画面９００を液晶ディスプレイ１３０９に表示する指示を表示制御部４０１に伝達する。また、選択ページ群特定部４０５は、ページ操作実行部４０６に対して、選択ページ群の情報として開始ページと終了ページの情報をページ操作実行部４０６に伝達する。
【００４４】
ページ操作実行部４０６は、操作受付制御部４０３からの操作受付情報と、選択ページ群特定部４０５からの選択ページ群の情報と、画像情報記録部４０７からの画像情報を受信する。そして、ページ操作実行部４０６は、これら受信情報に基づき、画像情報が示す画像の選択ページ群に対して、受け付けた操作を実行する機能的役割を有する。また、ページ操作実行部４０６は、通信制御部４０８と通信を行って、画像形成装置１０２に対する操作指示コマンドの伝達を行う。
【００４５】
画像情報記録部４０７は、操作受付制御部４０３にて操作対象である画像情報を記録管理する機能的役割を有する。この画像情報は、画像データとしてＲＡＭ１３０２に格納されている。また、画像情報記録部４０７は、ページ操作実行部４０６との間で画像情報を伝達して、操作実行内容に応じて、操作された画像の記録管理も行う。また、画像情報記録部４０７で記録管理される画像情報は、通信制御部４０８を介して画像形成装置１０２との間で送受信されたものである。
【００４６】
通信制御部４０８は、ページ操作実行部４０６から操作指示コマンドを受信して、画像形成装置１０２に伝達する機能的役割を有する。また、通信制御部４０８は、画像情報記録部４０７との間で、画像形成装置１０２から受信した画像情報の記録や画像形成装置１０２に送信する画像情報の読み出しを行う。
【００４７】
次に、操作受付装置１０１において、液晶ディスプレイ１３０９に表示された複数ページからなる画像に対して編集操作を受け付けた場合の動作処理を図５を参照して説明する。編集操作には、不要なページの削除やページの抜き取り、挿入などの操作が含まれる。また、液晶ディスプレイ１３０９に表示された画像は、画像形成装置１０２のスキャナ部１０で読み取った画像データや、ＦＡＸ受信した画像データ等が含まれる。
【００４８】
図５は、操作受付装置１０１にて実行される操作受付処理の流れを示すフローチャートである。なお、本処理は、ＣＰＵ１３０１がＨＤＤ１３０４からＲＡＭ１３０２に読み出された操作受付プログラム４００を実行することでなされるものである。
【００４９】
液晶ディスプレイ１３０９上には、画像形成装置１０２から受信した複数ページからなる画像データのうちのあるページが全画面表示されており、フリック操作でページめくりが可能な状態になっている。ユーザが任意のページまでページめくりした状態において、ＣＰＵ１３０１は、タッチセンサ制御部４０２とタッチ状態判断部４０４により、表面の第一タッチパネル１３０７のタッチセンサがタッチ操作を検出したかどうかを判定する（ステップＳ５０１）。表面のタッチ操作を検出した場合、ＣＰＵ１３０１は、裏面の第二タッチパネル１３０８のタッチセンサがタッチ操作を検出したかどうかを判定する（ステップＳ５０２）。裏面のタッチ操作を検出した場合、ＣＰＵ１３０１は、タッチ状態判断部４０４により、表面上のタッチポイント８０１の座標位置と裏面上のタッチポイント８０２の座標位置が同一か否かを判定する（ステップＳ５０３）。表面上のタッチポイント８０１と裏面上のタッチポイント８０２が同一座標であると判定した場合、ユーザによるつまみ操作が行われたと判断して、ステップＳ５０５へ進む一方、同一座標でないと判定した場合は、ステップＳ５０４へ進む。
【００５０】
ステップＳ５０４では、ＣＰＵ１３０１は、操作受付制御部４０３によりプレビュー表示中のページに対する操作を受け付けて、ステップＳ５０７へ進む。
【００５１】
ステップＳ５０５では、ＣＰＵ１３０１は、複数ページに対する操作を受け付けるモードに移行する。次に、ＣＰＵ１３０１は、選択ページ群を特定する処理を行う（ステップＳ５０６）。ステップＳ５０６の選択ページ群を特定する処理の詳細については後述する。
【００５２】
次に、ＣＰＵ１３０１は、操作受付制御部４０３とページ操作実行部４０６により、ステップＳ５０６またはステップＳ５０４で受け付けた操作に対して処理を実行する（ステップＳ５０７）。ステップＳ５０７の操作実行受付処理の詳細については後述する。
【００５３】
次に、ＣＰＵ１３０１は、操作受付を終了したか否かを判定し（ステップＳ５０８）、操作受付が終了していないと判断した場合は、ステップＳ５０１以降の処理を再度繰り返す。一方、操作受付が終了したと判断した場合には、本処理を終了する。なお、操作受付が終了したか否かは、操作受付の対象である画像データに対する最終処理の指示がなされたことをもって終了と判断する。最終処理とは、画像形成装置１０２に対する印刷指示やハードディスクへの記録指示や外部機器に対する送信指示等が含まれる。
【００５４】
次に、図５のステップＳ５０６における選択ページ群特定処理の詳細について図６及び図９を参照して説明する。
【００５５】
図６は、図５のステップＳ５０６における選択ページ群特定処理の詳細を示すフローチャートである。図９は、選択ページ群を特定するための特定方法の概略を示す図である。
【００５６】
図６において、まず、ＣＰＵ１３０１は、表示制御部４０１により、第一タッチパネル１３０７の液晶ディスプレイ１３０９に図９に示すような選択ページ特定画面９００を表示させる（ステップＳ６０１）。
【００５７】
選択ページ特定画面９００には、選択ページ表示欄９０１と、選択ページ変更スライダ９０２，９０３とが表示されている。選択ページ表示欄９０１は、選択開始ページ数表示欄９０４と、選択終了ページ数表示欄９０５とから構成されている。ユーザが第一タッチパネル１３０７，第二タッチパネル１３０８の選択ページ変更スライダ９０２，９０３をスライド操作することにより、選択開始ページ数表示欄９０４と選択終了ページ数表示欄９０５に表示された選択ページ数の増減を調整可能になっている。「＋」マーク側にスライドされると選択ページ数が増加し、「−」マーク側にスライドされると選択ページ数が減少する。なお、表面の第一タッチパネル１３０７で選択ページ変更スライダ９０２による操作受付を行い、裏面の第二タッチパネル１３０８で選択ページ変更スライダ９０３による操作受付を行うように構成されている。しかしながら、図９に示すように、表面の第一タッチパネル１３０７側に選択ページ変更スライダ９０２，９０３の両方のスライダが配置された構成であってもよい。
【００５８】
次に、ＣＰＵ１３０１は、表面の第一タッチパネル１３０７のタッチセンサがスライド操作を検出したどうかを判定する（ステップＳ６０２）。表面のタッチセンサによるスライド操作を検出した場合、ＣＰＵ１３０１は、その検出結果に基づき選択開始ページ（数）の指定を受け付ける（ステップＳ６０３）。
【００５９】
次に、ＣＰＵ１３０１は、裏面の第二タッチパネル１３０８のタッチセンサがスライド操作を検出したかどうかを判定する（ステップＳ６０４）。裏面のタッチセンサによるスライド操作を検出した場合、ＣＰＵ１３０１は、その検出結果に基づき選択終了ページ（数）の指定を受け付ける（ステップＳ６０５）。
【００６０】
次に、ＣＰＵ１３０１は、表面の第一タッチパネル１３０７のタッチセンサと裏面の第二タッチパネル１３０８のタッチセンサが略同時にタッチ操作を検出して、表面と裏面の両面がタッチされたかどうかを判定する（ステップＳ６０６）。両面がタッチされていないと判定した場合は、ステップＳ６０２に戻る一方、両面がタッチされたと判定した場合、リターンする。
【００６１】
次に、図５のステップＳ５０７における操作実行受付処理の詳細について図７及び図８（ｃ）を参照して説明する。
【００６２】
図７は、図５のステップＳ５０７における操作実行受付処理の詳細を示すフローチャートである。図８（ｃ）は、操作受付装置１０１における操作実行受付方法を説明するための図である。
【００６３】
操作実行受付処理では、ステップＳ５０６で選択された複数ページに対する操作受付を行う場合と、ステップＳ５０４で液晶ディスプレイ１３０９に表示中のページを選択ページとして操作受付を行う場合とがある。以下に説明する処理では、対象の選択ページは異なるが適用される操作は共通するものである。
【００６４】
まず、ＣＰＵ１３０１は、画面の右端までスライド操作が行われたか否かをタッチセンサの検出結果から判定する（ステップＳ７０１）。なお、ステップＳ５０６からステップＳ５０７へ移行した場合は、両面タッチ後に画面の右端までスライド操作が行われたかどうか判定される。一方、ステップＳ５０４からステップＳ５０７へ移行した場合は、表面タッチ後に画面の右端までスライド操作が行われたかどうか判定される。
【００６５】
ステップＳ７０１で右端までスライド操作が行われたと判定した場合、ＣＰＵ１３０１は、選択ページを削除して（ステップＳ７０２）、ステップＳ７０８へ進む。選択ページとは、選択ページ特定画面９００で設定された選択開始ページから選択終了ページまでのページ画像またはプレビュー表示中に選択されたページ画像である。
【００６６】
一方、ステップＳ７０１で右端までのスライド操作でないと判定した場合、画面の上端までのスライド操作であるか否かをタッチセンサの検出結果から判定する（ステップＳ７０３）。上端までのスライド操作であると判定した場合、ＣＰＵ１３０１は、選択ページの抜き取り動作を行い（ステップＳ７０４）、ステップＳ７０８へ進む。このとき、抜き取られたページは、ＲＡＭ１３０２またはＨＤＤ１３０４に一時記憶される。
【００６７】
一方、上端までのスライド操作でないと判定された場合、ＣＰＵ１３０１は、下端までのスライド操作であるか否かを判定する（ステップＳ７０５）。下端までのスライドである場合、ＣＰＵ１３０１は、次に挿入するべき抜き取りページがＲＡＭ１３０２またはＨＤＤ１３０４にあるかどうか判定する（ステップＳ７０６）。抜き取りページがあると判定した場合、ＣＰＵ１３０１は、抜き取られたページの挿入を行い（ステップＳ７０７）、ステップＳ７０８へ進む。ページの挿入箇所は、表示中のページの上、ページ順でいうと表示中のページの手前に挿入される。挿入ページ位置の調整は、ステップＳ７０３で抜き取り操作が終了後にフリック動作によるページめくり操作により行われる。そして、選択ページに対する操作受付が完了した場合、ＣＰＵ１３０１は、選択ページをリセットして（ステップＳ７０８）、リターンする。
【００６８】
本実施形態では、図８（ｃ）に示すように、選択ページ群が決定された状態で選択ページ群に対する操作の指示方法として、タッチポイント８０１，８０２を中心に上下右方向へのスライド操作を検出して操作指示内容の選択と受付を行う。そして、ユーザに操作内容を明示するために、タッチポイント８０１，８０２からスライド操作方向（例えば上下右方向）に対して実行可能な操作内容が液晶ディスプレイ１３０９に表示される。図示例では、上方向に「抜き取り」８０４が表示され、右方向に「削除」８０６が表示され、下方向に「挿入」８０７が表示される。他の操作に依存して操作の可否が切り替わるような「挿入」動作などの場合、操作受付不可能な状態であるときは、グレーアウトして表示してもよい。図示例では、「挿入」８０７がグレーアウト表示されている。
【００６９】
タッチポイント８０１，８０２から上方向へ画面の上端までスライド操作８０３を受け付けた場合、操作受付装置１０１では、選択ページの抜き取り動作が行われる。この抜き取り動作とは、抜き取りページを別の場所へ移動させるために一時的に抜き取る操作の受付であると定義している。
【００７０】
また、タッチポイント８０１，８０２から右方向へ画面の右端までスライド操作８０５を受け付けた場合、操作受付装置１０１では、選択ページを削除する動作が行われる。さらに、タッチポイント８０１，８０２から下方向へ画面の下端までスライド操作８０８を受け付けた場合は、操作受付装置１０１では、抜き取とったページの挿入動作が行われる。
【００７１】
なお、タッチ操作とスライド操作、及びスライド操作に対応する実行内容については、上述した内容に限定するものではない。例えば、タッチ操作は、表面または裏面のみのタッチ操作でもよく、また画面の端部までのスライド操作を検出しているが、スライドさせた距離に応じてスライド操作を検知するように構成してもよい。
【００７２】
また、上述したスライド方向とその方向に対する「抜き取り」、「削除」、「挿入」という操作内容については、選択した複数ページに対する操作として、「コピー」や「プリント」、「回転」等の表示画像に対する操作内容に置き換えてもよい。
【００７３】
また、本実施形態では、右手でスライド操作することを前提に、操作受付装置１０１を親指と人差し指でつまんだ状態で上下右方向の画面の端部までのスライド操作を受付可能に構成している。しかしながら、左手操作を前提として、左方向を含む全方向対して操作受付可能に構成してもよい。
【００７４】
上記実施形態によれば、第一タッチパネル１３０７のタッチセンサにより検出された座標位置と第二タッチパネル１３０８のタッチセンサにより検出された座標位置とが同一か否かを判定する。そして、同一であると判定された場合は、第一タッチパネル１３０７で複数ページにおける開始ページと終了ページの指定を受け付け、指定されたページに対する操作を受け付ける。そして、受け付けた操作に応じて、指定されたページに削除、抜き取り等の所定の編集を行う。これにより、操作受付装置にプレビュー表示された複数のページ画像に対して、つまみ抜き取る様な直観的な操作を検出し、当該操作に応じた削除、抜き取り等の所定の編集を行うことができる。
【００７５】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００７６】
１０１  操作受付装置
１０２  画像形成装置
４０１  表示制御部
４０２  タッチセンサ制御部
４０３  操作受付制御部
４０４  タッチ状態判断部
４０５  選択ページ群特定部
１３０７  第一タッチパネル
１３０８  第二タッチパネル
１３０９  液晶ディスプレイ
【図１】
2014071827.tif 000003
【図２】
2014071827.tif 000004
【図３】
2014071827.tif 000005
【図４】
2014071827.tif 000006
【図５】
2014071827.tif 000007
【図６】
2014071827.tif 000008
【図７】
2014071827.tif 000009
【図８】
2014071827.tif 000010
【図９】
2014071827.tif 000011